(57)【要約】【課題】複数の移動局から基地局に送信の問合せがある場合、所定の時間間隔で送信の許可信号を送信する複数の移動局が送信要求データを送信すると、複数回のデータ送信で成り立つ一連のデータ送信のシーケンスが他移動局に割り込まれて邪魔される。【解決手段】送信の許可信号を単発の通知ではなく、常送の通知とし、移動局からデータを基地局に送信する場合に送信する送信要求データを受信した場合に、当該移動局に送信する基地局からの許可信号を、基地局は、所定の時間間隔で送信するようにした。【選択図】図４
2010124187.tif 000002
【特許請求の範囲】
【請求項１】
送信アンテナ、受信アンテナ、第１の送信部、第１の受信部、及び該第１の送信部と該第１の受信部とを制御する第１の制御部とを具備する基地局と、送受信アンテナ、共用器、第２の送信部、第２の受信部、該共用器と該第２の送信部と該第２の受信部とを制御する第２制御部、及びインターフェース部を具備する複数の移動局とを有する移動通信システムであって、前記移動局が、データを前記基地局に送信する場合には、送信要求データを送信して、前記基地局からの許可信号を受信後前記データを送信する移動通信システムにおいて、
前記基地局は、前記許可信号によってデータ送信を許可した移動局を特定できる情報を、所定の時間間隔で送信することを特徴とする移動通信システム。
【発明の詳細な説明】
【技術分野】
【０００１】
本発明は、ＳＣＰＣ（ Single Channel Per Carrier ）方式デジタル無線システム（ ARIB STD-T61 狭帯域デジタル通信システム（ SCPC/FDMA ）に準拠）等の移動通信システムに関するものである。
【背景技術】
【０００２】
従来のＳＣＰＣ方式無線システム等の移動通信システムにおいて、基地局では、送信と受信とを同時に行うことができる。しかし、移動局では、送信と受信を同時に行わない構成とすることによって、原価低減している。即ち、移動局は、自身が送信を行っている間は、基地局からのデータを受信できない（例えば、特許文献１参照。）。
【０００３】
送受信を同時に行うことができない移動局がデータ送信を自由に行った場合に発生する問題点の一例を、図１を参照しながら説明する。図１は、移動局にデータを基地局に送信する必要が発生した場合、移動局が、基地局に対し、データ送信をただちに行う場合のシーケンス図である。図１（ａ）は基地局の送受信状態、図１（ｂ）は移動局１２−１の送受信状態、図１（ｃ）は移動局１２−２の送受信状態を示す。横軸は、基地局１１並びに移動局１２−１及び移動局１２−２毎に設けた時刻を示す直線であり、左から右方向に時間が経過し、図１（ａ）、（ｂ）及び（ｃ）共に同じ時刻を表す。１３−１は移動局１２−１が時刻ｔ１に基地局１１に送信したデータ、１３−２は移動局１２−２が時刻ｔ１に基地局１１に送信したデータ、１３−３は時刻ｔ１に送信された移動局１２−１、１２−２から送信されたデータ１３−１、１３−２を、基地局１１が受信できなかった状態を表している。
【０００４】
即ち、図１において、基地局１１の通信エリア内に２つの移動局１２−１と１２−２が存在し、２つの移動局１２−１と１２−２が、時刻ｔ１に同時に基地局１１にデータ送信を行った。この時、基地局１１は、それぞれの移動局１２−１及び１２−２が同時に送信したデータ１３−１と１３−２が衝突することになってしまい、２つの移動局からのデータがどちらも受信できなくなってしまう。即ち、複数の移動局が送信するデータが同時に送信されてしまうと、データが衝突し、互いに干渉してしまい、基地局ではそれらのデータを受信できない。
【０００５】
上記の問題を解決するためには、図２で説明するようなデータ通信のシーケンスがある。図２は、上記図１によって説明した問題を解決するためのシーケンスの１つを説明するための図である。図２の縦軸と横軸は、図１と同じ関係のものある。同様に、図２（ａ）は基地局の送受信状態、図２（ｂ）は移動局１２−１の送受信状態、図２（ｃ）は移動局１２−２の送受信状態を示す。
以下、本書では、既に説明した図１を含め、以降の各図の説明において、共通な機能を有する構成要素には同一の参照番号を付し、説明を省略する。
図２は、移動局にデータを基地局に送信する必要が発生した場合、移動局が、基地局に対し、データ送信の可否を問い合わせるシーケンス図である。
【０００６】
図２において、時刻ｔ２１で、移動局１２−１は基地局１１にデータ送信の可否を問い合わせるデータ（送信要求データ２１−１）を送信する。基地局１１は、移動局１２−１からの送信要求データ２１−１を受信した時に通信エリア内の移動局からのデータを受信中であるか否か、及び、他の移動局から既に送信要求データを受信しているか否かを判定し、否である（データを受信中ではない）時には、当該送信要求のあった移動局（移動局１２−１）に対するデータ送信の許可信号２１−３を時刻ｔ２３で送信する。通信エリア内の移動局はすべてこのデータ送信の許可信号２１−３を受信できるが、許可されている移動局が移動局１２−１であることが分かる識別データが、許可信号２１−３中に付与されているため、該当しない移動局は送信できないことが分かる。以下、本発明の明細書では、データ送信の可否を問い合わせるデータを、送信要求データと称する。
【０００７】
さらに、移動局１２−１が送信した時刻ｔ２１と異なる時刻ｔ２２で、別の移動局１２−２が基地局１１に送信要求データ２１−２を送信した場合について説明する。
即ち、上記データ送信の許可信号２１−３を受信する前の時刻ｔ２２に別の移動局１２−２が、基地局１１に送信要求データ２１−２を送信すると、この送信要求データ２１−２を受信した基地局１１は、移動局１２−２からの送信要求データ２１−２を受信した時に通信エリア内の移動局からのデータを受信中であるか否か、及び、他の移動局から既に送信要求データを受信しているか否かを判定する。
この場合、移動局１２−１からの送信要求データ２１−１を受信しているので、基地局１１は、移動局１２−２に対してのデータ送信の許可信号を送信しない。そして、この状態、即ち、他の移動局にデータ送信の許可信号を送信しない状態は、移動局１２−１が、許可信号２１−３の受信に応じて、時刻ｔ２４でデータ２１−４を送信し、それを受信した基地局１１が時刻ｔ２５でＡＣＫ（ ACKnowledge ）信号２１−５を送信するまで継続される。
【０００８】
そして、時刻ｔ２６では、移動局１２−２が、基地局１１に送信要求データ２１−６を送信する。この時には、上記条件によって、基地局１１は、移動局１２−２に対するデータ送信の許可信号２１−７を時刻ｔ２７で送信する。その信号２１−７を受信した移動局１２−２は、時刻２１−８でデータ２１−８を送信し、それを受信した基地局１１が時刻ｔ２９でＡＣＫ信号２１−９を送信するまで継続される。
【０００９】
【特許文献１】特開２００７−０９６４０９号公報
【発明の開示】
【発明が解決しようとする課題】
【００１０】
図２で説明したように、移動局がデータを送信する必要が発生した場合に、基地局に対してデータ送信の可否を問い合わせる通信システムがある。
しかし、複数の移動局が送信の可否を問い合わせると、複数のデータ送受信の組み合わせで成立する一連のデータ送信のシーケンスが、次に図３で説明するように、例えば、他の移動局に割り込まれることによって邪魔され、シーケンスが成立せず、一連のデータ全てが送信できないことがある。図３は、従来のＳＣＰＣ方式無線システムにおける問題点の１つを説明するための図で、移動局がデータを基地局に送信するシーケンス図ある。図３は、図２のシーケンスにおいて、時刻ｔ２２で発生する移動局１２−２から送信される送信要求データ２１−２が無く、移動局１２−２からデータ２１−８が送信される時刻ｔ２８付近で、移動局１２−１から送信要求データ３１−８が送信される場合である。
【００１１】
図３の場合、基地局１１に向かって、移動局１２−１から送信データ２１−４と３１−１０の複数の送信データを送信しようとしている。そして、送信要求データ２１−１、許可信号２１−３、送信データ２１−４、及びＡＣＫ信号２１−５の順に、一連のシーケンスで基地局１１と移動局１２−１間で信号が送受信される。次に、移動局１２−１は、複数の送信データの続きである送信データ３１−１０を送信しようとする。
しかし、移動局１２−１から送信要求データ３１−８を送信する時刻ｔ２７の前の時刻ｔ２６に、移動局１２−２から送信要求データ２１−６が送信されてしまった。この場合には、基地局１１からは、時刻ｔ２７で、移動局１２−２に対するデータ信号の許可信号２１−７を時刻ｔ２７で送信する。これによって、移動局１２−２からの送信要求が許可され、送信データ２１−８が時刻ｔ２８で送信され、基地局１１からは時刻ｔ２１−９でＡＣＫ信号２１−９が送信される。
従って、他の移動局からの割り込みが発生し、移動局１２−１は、移動局１２−２が送信を許可され、ＡＣＫ信号が送信されるまでの時刻ｔ２１−７〜時刻ｔ２８の間送信できない状態となる。即ち、移動局１２−１は、この間、送信要求データ３１−８を送信しても許可されないため、送信データ３１−１０を送信できない。このため、移動局１２−１は、基地局１１に送信したいデータの量が、１回で可能であれば問題無いが、２回以上連続して送信するような量であった場合には、一連のデータ全てが送信できず、必要な全てのデータの送信が完了できない。即ち、従来のシステムでは、複数の移動局が送信要求データを送信すると、複数回のデータ送信で成り立つ一連のデータ送信のシーケンスが他移動局に割り込まれて邪魔されてしまう。
上記の問題に鑑み、本発明は、１つの移動局が一連のデータを全て送信するための送信シーケンスを継続中に、他の移動局からのデータ送信の割り込みの発生が無いため、必要な複数回にわたる一連のデータの全てを送信可能とすることができる。
【課題を解決するための手段】
【００１２】
上記の問題を解決するため、本発明の移動通信システムは、複数の移動局から基地局に送信の問合せがある場合を考え、送信の許可信号を単発の通知ではなく、常送の通知とし、所定の時間間隔で送信の許可信号を送信するものである。
また好ましくは、該所定の時間間隔は、移動局が１回送信する時間と同じか若しくは短いものである。
即ち、本発明の移動通信システムは、送信アンテナ、受信アンテナ、第１の送信部、第１の受信部、及び該第１の送信部と該第１の受信部とを制御する第１の制御部とを具備する基地局と、送受信アンテナ、共用器、第２の送信部、第２の受信部、該共用器と該第２の送信部と該第２の受信部とを制御する第２制御部、及びインターフェース部を具備する複数の移動局とを有する移動通信システムであって、前記移動局が、データを前記基地局に送信する場合には、送信要求データを送信して、前記基地局からの許可信号を受信後前記データを送信する移動通信システムにおいて、前記基地局は、前記許可信号によってデータ送信を許可した移動局を特定できる情報を、所定の時間間隔で送信するものである。
また好ましくは、上記発明の移動通信システムの前記データ送信を許可した移動局を特定できる情報を送信する信号は、前記通信エリア内の前記複数の移動局それぞれと前記基地局との同期をとるための常送信号である。
【発明の効果】
【００１３】
本発明によれば、各移動局は、所定の時間間隔で、送信の許可信号を受信するため、通信中の移動局以外の移動局が割り込んで、通信中のデータが干渉し合い、基地局で受信できなくなる問題を防ぐことができる。従って、移動局は、データを複数回連続して基地局に送信可能となり、一連のデータ送信というシーケンスを完了することができる。
【発明を実施するための最良の形態】
【００１４】
本発明は、例えば、任意の移動局から、基地局にデータ送信の可否を問い合わせた場合に、当該移動局にデータ送信を許可の通知（送信の許可信号の送信）を単発の通知ではなく、常送の通知とし、所定の時間間隔で送信の許可信号を送信するものである。
例えば、該所定の時間間隔は、移動局が１回データ送信を行う時間と同じか若しくは短いものである。
また例えば、移動局がデータ送信を行う前に、上記所定の間隔で送信される送信の許可信号を受信して、許可された移動局が自局であることを確認してからデータ送信するものである。
従って、１つの移動局がデータ送信の許可を受けたあとは、当該１つの移動局が全てのデータ（複数のシーケンス若しくは一連のシーケンス）の送信を、完了するまで、若しくは、タイムアウトするまで、データ送信の許可状態が維持される。
【００１５】
本発明の移動通信システムの構成を、図４によって説明する。図４は、本発明に係る移動通信システムの簡単な構成を示す模式図である。４１は指令卓、４２は基地局、４３は指令卓４１と基地局４２を接続する通信ケーブル、４４は基地局４２のアンテナ、４５は基地局４２の通信エリア内の移動局、４６は移動局を搭載する移動体、４７は無線伝送路である。通信ケーブル４３は、例えば、２Ｗ若しくは４Ｗのメタル回線、又は、搬送回線などである。移動局４５及び移動体４６は、通信エリア内に複数存在するが、図４では、簡略化して１台とした。また移動体４６は、人物や車両等である。
図４におけるシステム構成は、最少の構成になっており、本発明における構成可能なそれぞれの台数は、必要に応じて定められるものである。
【００１６】
図４において、指令卓４１と基地局４２間は、例えば、通信ケーブル４３で接続されており、ＭＳＫ（ Minimum Shift Keying ）変調方式等によってデータの送受信が可能となっている。また、基地局４２と移動局４５間のデータの送受信は、例えば、ＳＣＰＣ（ Single Channel Per Carrier ）方式の無線通信方式である。
【００１７】
図５は、基地局４２の構成の一実施例を示すブロック図である。５１は制御部、５２は送信部、５３は受信部、５４は受信増幅部、５５は送信アンテナ、５６は受信アンテナである。なお、図５では、指令卓４１や説明に不要な他の機器との接続を省略している。
図５において、制御部５１は、指令卓４１からの指令や受信したデータの内容に応じて、基地局４２の各機器を制御する。送信部５２は、制御部５１の制御によって所定のデータを変調して送信アンテナ５５を介して送信する。また、受信アンテナ５６は、受信した空線信号を受信増幅部５４に出力する。受信増幅部５４は入力された信号を所定の信号レベルに増幅して受信部５３に出力する。受信部５３は入力された信号を復調して制御部５１に出力する。
【００１８】
図６は、移動局４５の構成の一実施例を示すブロック図である。６１は制御部、６２は送信部、６３は受信部、６４は共用器、６５はアンテナ、６６はＩ／Ｆ（インターフェース）部である。Ｉ／Ｆ部６６は、例えば、使用者が送受話等を操作するための入出力部で、少なくとも送信するためのプッシュボタン、マイク、スピーカ、及び各種の状態を示すインジケータを備える。
図６において、使用者がＩ／Ｆ部６６のプッシュボタンを押している時には送信状態となり、プッシュボタンを離すと受信状態に戻る。制御部６１は、送信状態となった場合には、基地局４２との通話を開始するため、先ず送信部６２に送信要求データを出力する。送信部６２は、入力されたデータを変調して、共用器６４及びアンテナ６５を介して送信する。その後受信状態に戻る。また、アンテナ６５が受信した信号は、共用器６４を介して受信部６３に入力される。受信部６３は、入力された信号を復調して制御部６１に出力する。制御部６１は入力されたデータをＩ／Ｆ部６６に出力する。
もし、移動局４５が基地局４２からの許可信号を受信した場合には、その旨のデータ（許可信号）が、アンテナ６５、共用器６４、受信部６３、及び、制御部６１を通って、Ｉ／Ｆ部６６に出力される。これによって移動局４５の制御部６１は、再度Ｉ／Ｆ部６６からマイク入力された音声若しくはデータを受け取り、送信データに変換して送信部６２、共用器６４、及びアンテナ６５を介して、データ送信を行う。
【００１９】
ＳＣＰＣデジタル無線システム等の移動通信システムでは、音声信号と非音声信号は、共に、デジタルデータで送受信が行われる。そこで、基地局が移動局に送信するデジタルデータの内部に「データの送信を許可された移動局」を特定できる情報を格納し、移動局側で受信した信号からデータ送信できる移動局を特定させることにした。図７に本発明の「データの送信を許可された移動局」を特定できる情報を格納したパケットデータの構成の一実施例を示す。図７は、通信用チャネル及び同期バーストに用いる無線情報チャネル（ＲＩＣＨ：Radio Information CHannel ）における本発明の「許可された移動局」を特定できる情報の格納場所を示している。
図７において、未定義領域であるデータ領域７０１（オクテット２行のビット１〜５、及びオクテット３行の８：斜線部）を本発明の「許可された移動局」を特定できる情報の格納場所としている。しかし、本発明では、「許可された移動局」を特定できる情報を格納する位置をどの未定義部分に格納しても良い。さらに、これ以外のフレームデータフォーマットの一部のチャネルに格納しても良いことは勿論である。
この許可された移動局を特定できる情報を格納して送信する信号は、データ送信要求を受信した場合に、許可信号を送信する時に格納して送信する他、例えば、所定の時間間隔で、通信エリア内の各移動局が基地局との同期をとるために送信する常送信号に格納して送信する。
【００２０】
以下、本発明の移動通信システムの動作について、さらに、図８のデータ通信の動作シーケンスによって説明する。図８は、本発明の移動通信システムにおいて、移動局がデータを基地局に送信する必要が発生した場合に、基地局に対し、データ送信の可否を問い合わせるシーケンス図である。また図８で説明する動作は、基地局１１では、制御部（図５参照）が図示しない記憶部に格納された処理プログラムに従って実行し、移動局１２−１若しくは１２−２では、制御部６１（図６参照）が図示しない記憶部に格納された処理プログラムに従って実行する。
図８の縦軸と横軸は、図１〜図３と同じである。同様に、図８（ａ）は基地局の送受信状態、図８（ｂ）は移動局１２−１の送受信状態、図８（ｃ）は移動局１２−２の送受信状態を示す。
以下、図８では、既に説明した図１〜図７の説明において、共通な機能を有する構成要素には同一の参照番号を付し、説明を省略する。
図８においては、図１〜図３と同様に、左から右方向に時間が経過する。
また図８において、時刻ｔ８１より以前の時点では、基地局１１は、通信エリアのどの移動局からもデータの受信をしておらず、かつ、どの移動局からも送信要求データを受信していない状態である。この時、基地局１１は、“通常状態”と称する動作モードに設定されている。
【００２１】
まず、時刻ｔ８１で、移動局１２−１は、基地局１１にデータ送信の可否を問い合わせるデータ（送信要求データ８１−１）を送信する。基地局１１は、移動局１２−１からの送信要求データ８１−１を受信した場合には、基地局１１の動作モードが“通常状態”であるか否かを判定し“通常状態”である時には、当該送信要求のあった移動局（移動局１２−１）に対するデータ送信の許可信号８１−２を時刻ｔ８２で送信する。そして、基地局１１、及び上記データ送信の許可信号８１−２を受信した各移動局は、移動局１２−１がデータ送信を許可されたことを認識（本発明では、“移動局１２−１の許可状態”と称する）する。そして、基地局１１は、“特定移動局の送信許可状態”の動作モードに設定される。この場合は、特定の移動局は、移動局１２−１である。
【００２２】
次に、時刻ｔ８３で、データ送信を許可された移動局１２−１はデータ８１−３を送信する。この移動局１２−１から送信されたデータを受信した基地局１１は、時刻ｔ８４で、データ８１−３を受信したことを示すＡＣＫ信号８１−４を送信する。
以下、移動局１２−１は、時刻ｔ８７で前に送信したデータ８１−３に続く次のデータ８１−７を基地局１１に送信する。基地局１１からは時刻ｔ８８でデータ８１−７を受信したことを示すＡＣＫ信号８１−８を送信する。
このような手順で、移動局１２−１が、時刻ｔ８１において送信要求信号を送信して送信しようとした一連のデータ全ての送信が完了するまで、送信要求データとデータ送信とを繰り返す。移動局１２−１は、送信しようとした一連のデータ全ての送信を完了した場合には、例えば、時刻ｔ８１−９で送信完了の通知を基地局１１に送信する。これを受信した基地局１１は、動作モードを“通常状態”に設定する。
【００２３】
このように、基地局１１の動作モードが“通常状態”になっている場合には、どの移動局も送信要求データを送信して基地局にデータ送信を許可してもらうことができる。例えば、図８において、移動局１２−２は、時刻ｔ８１０で、基地局４１に送信要求データ８１−１０を送信する。送信要求データ８１−１０を受信した基地局１１は、動作モードが“通常状態”であるか否かを判定し“通常状態”である時には、当該送信要求のあった移動局（移動局１２−２）に対するデータ送信の許可信号８１−１１を時刻ｔ８１１で送信する。そして、基地局１１、及び上記データ送信の許可信号８１−１１を受信した各移動局は、移動局１２−２がデータ送信を許可されたことを認識（本発明では、“移動局１２−２の許可状態”と称する）する。そして、基地局１１は、“特定移動局の送信許可状態”の動作モードに設定される。この場合は、特定の移動局は、移動局１２−２である。
【００２４】
次に、時刻ｔ８１２で、データ送信を許可された移動局１２−２は、データ８１−１２を送信する。この移動局１２−２から送信されたデータを受信した基地局１１は、時刻ｔ８１３で、データ８１−１２を受信したことを示すＡＣＫ信号８１−１３を送信する。
以下、移動局１２−２は、前に送信したデータ８１−１２に続く次のデータを基地局１１に送信する。基地局１１は、データの受信の都度、ＡＣＫ信号を送信する。
図８において、移動局１２−２の送信したいデータがデータ送信１回分であった。そこで、図８では、移動局１２−２は、時刻ｔ８１３でＡＣＫ信号８１−１３を受信後、送信完了データ８１−４を送信し、一連のデータ送信を完了したことを基地局１１に伝える。
基地局１１は、この送信完了データ８１−４を受信後、動作モードを“通常状態”に設定する。
【００２５】
なお、図８において、基地局１１は、所定の時間間隔で、通信エリア内の各移動局と基地局との同期をとるために、所定の時間間隔で、常送信号を送信している。本発明では、この常送通信に、図７で示したように、データ送信を許可した移動局の端末番号等の識別コードを付加して送信している。このため、各移動局は、自局がデータ送信可能か否かを判別することが可能なため、送信したいデータがあっても、送信しない。従って、複数の移動局からのデータ送信がないため、現在、一連のデータを送信中の移動局は、他の移動局に邪魔されず、すべてのデータの送信を完了することができる。
また好ましくは、上記所定の時間間隔は、移動局が１回送信する時間と同じか若しくは短いものである。
【００２６】
なお、図８において、本移動通信システムの基地局４１の動作モードが、“移動局４２−１の許可状態”である期間に、あえて、他の移動局から送信要求があったときの動作を説明する。
今、時刻ｔ８４で、基地局４１から、データ８１−４を受信したことを示すＡＣＫ信号８１−４を送信した。その後、移動局４２−２が、時刻ｔ８５で、基地局４１に送信要求データ８１−５を送信する。基地局４１は、移動局４２−２からの送信要求データ８１−５を受信した場合には、基地局４１の動作モードが“通常状態”であるか否かを判定し“通常状態”である時には、当該送信要求のあった移動局（移動局４２−２）に対するデータ送信の許可信号を送信する。また、動作モードが“特定移動局の送信許可状態”である場合には、何もしない。
これによって、移動局４２−２は、データ送信の許可信号を受信できないので、データ送信しない。しかし、既にデータ送信の許可信号を受信している移動局４２−１は、データ送信を継続して実行することができる。
【００２７】
上記実施例によれば、各移動局は、所定の時間間隔で、送信の許可信号を受信するため、通信中の移動局以外の移動局が割り込んで、通信中のデータが干渉し合い、基地局で受信できなくなる問題を防ぐことができる。従って、移動局は、データを複数回連続して基地局に送信可能となり、一連のデータを送信するというシーケンスを完了することができる。
なお、上記実施例では、基地局が１台、移動局が２台であったが、本発明は、この数に限定するものではない。
【図面の簡単な説明】
【００２８】
【図１】従来の移動局がデータを基地局に送信する必要が発生した場合に、基地局に対し、データ送信をただちに行う場合のシーケンス図。
【図２】従来の移動局がデータを基地局に送信する必要が発生した場合に、基地局に対し、データ送信の可否を問い合わせるシーケンス図。
【図３】従来の移動局がデータを基地局に送信する必要が発生した場合に、基地局に対し、データ送信の可否を問い合わせるシーケンス図。
【図４】本発明に係る移動通信システムの簡単な構成を示す模式図。
【図５】本発明に係る基地局の構成の一実施例を示すブロック図。
【図６】本発明に係る移動局の構成の一実施例を示すブロック図。
【図７】本発明の無線情報チャネルにおける許可された移動局を特定できる情報の格納場所の一実施例を示す図。
【図８】本発明におけるデータ送信の可否を問い合わせる動作の一実施例を説明するためのシーケンス図。
【符号の説明】
【００２９】
１１：基地局、  １２−１、１２−２：移動局、  １３−１、１３−２：データ、  １３−３：状態、  ２１−１〜２１−９：データ、  ３１−１、３１−３〜３１−１１：データ、  ４１：指令卓、  ４２：基地局、  ４３：通信ケーブル、  ４４：アンテナ、  ４５：移動局、  ４６：移動体、  ４７：無線伝送路、  ５１：制御部、  ５２：送信部、  ５３：受信部、  ５４：受信増幅部、  ５５：送信アンテナ、  ５６：受信アンテナ、  ６１：制御部、  ６２：送信部、  ６３：受信部、  ６４：共用器、  ６５：アンテナ、  ６６：Ｉ／Ｆ部。
【図１】
2010124187.tif 000003
【図２】
2010124187.tif 000004
【図３】
2010124187.tif 000005
【図４】
2010124187.tif 000006
【図５】
2010124187.tif 000007
【図６】
2010124187.tif 000008
【図７】
2010124187.tif 000009
【図８】
2010124187.tif 000010